(57)【要約】【課題】レーザ光源に対する画像データの伝送周期を示すクロックの周波数を１以上のレーザ光源毎で調整するデータ伝送装置において、データ伝送の遅延を抑制する。【解決手段】データ伝送装置１には、画像データを処理するロジック回路３０と、ロジック回路にて処理された画像データをメモリ４０に書き込む書込手段４１ａと、メモリ４０に書き込まれた画像データを読み出してレーザ光源１０に伝送する読出手段４２とがレーザ光源毎に備えてられている。そして、読出手段４２における伝送の周期を示したクロック信号の周波数は２つの読出手段毎に調整可能になっており、ロジック回路３０の動作の周期を示したクロック信号の周波数は共通の感光体ドラムを露光するレーザ光源に伝送する画像データを処理する全てのロジック回路において共通に設定されている。【選択図】図２
2007261095.tif 000002
【特許請求の範囲】
【請求項１】
共通の像担持体を露光する複数の露光部を含む画像形成装置に備えられており、上記複数の露光部に対して画像データを伝送するデータ伝送装置において、
画像データを処理する処理回路と、処理回路にて処理された画像データをメモリに書き込む書込手段と、メモリに書き込まれた画像データを読み出して露光部に伝送する伝送手段とを露光部毎に備えており、
上記伝送手段における伝送の周期を示した伝送クロックの周波数を１以上の伝送手段毎に調整可能に構成されており、上記処理回路の動作の周期を示した動作クロックの周波数が上記共通の像担持体を露光する複数の露光部に伝送する画像データを処理する各処理回路において共通に設定されていることを特徴とするデータ伝送装置。
【請求項２】
上記伝送クロックの周波数は、上記動作クロックの周波数以下の範囲で調整可能であることを特徴とする請求項１に記載のデータ伝送装置。
【請求項３】
発振器から発振されるクロックを上記動作クロックとし、
上記発振器から発振されるクロックの周波数を調整し、この調整が行われたクロックを上記伝送クロックとして出力する周波数調整手段が１以上の伝送手段毎に設けられていることを特徴とする請求項１または２に記載のデータ伝送装置。
【請求項４】
発振器から発振されるクロックの周波数を調整し、この調整が行われたクロックを上記動作クロックとして出力する周波数調整手段が設けられていることを特徴とする請求項１または２に記載のデータ伝送装置。
【請求項５】
発振器から発振されるクロックの周波数を調整し、この調整が行われたクロックを上記伝送クロックとして出力する周波数調整手段が１以上の伝送手段毎に設けられ、
各周波数調整手段から出力される伝送クロックのうち、周波数が高い方の伝送クロックを選択し、選択した伝送クロックを上記動作クロックとして出力する選択手段が備えられていることを特徴とする請求項１または２に記載のデータ伝送装置。
【請求項６】
各周波数調整手段から出力される伝送クロックのうち、周波数が最も高い伝送クロックを判定する判定手段を有し、
上記選択手段は、上記判定手段の判定結果に応じて上記選択を行うことを特徴とする請求項５に記載のデータ伝送装置。
【請求項７】
鏡像反転処理用のＲＡＭを上記メモリとして用いることを特徴とする請求項１ないし６のいずれか１項に記載のデータ伝送装置。
【請求項８】
請求項１ないし７のいずれか１項に記載のデータ伝送装置を構成することを特徴とする集積回路。
【請求項９】
請求項１ないし７のいずれか１項に記載のデータ伝送装置を備えたことを特徴とする画像形成装置。
【発明の詳細な説明】
【技術分野】
【０００１】
本発明は、複数の露光部を備える画像形成装置に実装されており、複数の露光部の各々に対して画像データを伝送するデータ伝送装置に関する。
【背景技術】
【０００２】
近年の電子写真方式のプリンタは、レーザ光源が複数備えられているタイプのものが殆どである。例えば、マルチビーム方式が採用されているプリンタでは、感光体ドラム１本当たりに（色成分毎に）レーザ光源が複数構成されているため、カラー／モノクロの別を問わず、レーザ光源が複数構成されることになる。また、シングルビーム方式が採用されているプリンタでは、感光体ドラム１本当たりのレーザ光源は１つであるが、４連タンデム方式のカラープリンタである場合、感光体ドラムは４本であるため、レーザ光源は４つ構成されることになる。
【０００３】
また、上述したマルチビーム方式としては、感光体ドラム１本当たりに２個のレーザ光源が設けられている２ビーム方式や、感光体ドラム１本当たりに４個のレーザ光源が設けられている４ビーム方式がある。なお、２ビーム方式では、１回の走査によって感光体上に２本のライン画像（潜像）が形成され、４ビーム方式では、１回の走査によって感光体上に４本のライン画像（潜像）が形成されることになる。つまり、マルチビーム方式において、上記レーザ光源は１回の走査当たりに１本のライン画像を形成する機能を有する。
【０００４】
このようなプリンタにおいては、複数のレーザ光源の各々に対してクロック信号に示される周期に応じて画像データが供給され、各レーザ光源は画像データが供給されるとビームを射出し、射出されたビームは光学系（ポリゴンミラー、Ｆθレンズ等から構成される光学ユニット）を介して感光体ドラムに導かれ、感光体ドラム上にドット（潜像）が形成される。
【０００５】
また、このようなプリンタにおいては、各レーザ光源の配置や上記光学系の配置等の設計条件や環境条件（例えば温度）に起因してドットの位置ズレが生じることがある。そこで、このような位置ズレを補正するために（レジストレーション補正）、レーザ光源毎または２以上のレーザ光源毎に、上記クロック信号の周波数を調整することによって画像データの伝送周期を調整することが多い。例えば、特許文献１や特許文献２においては、レーザ光源毎にビデオクロックの周波数を調整することによって、主走査方向におけるドットの位置ずれを補正する技術が開示されている。
【０００６】
ここで、複数のレーザに対して画像データを伝送する従来のデータ伝送回路の一例を図１に示す。図１のデータ伝送回路１００は、２つのレーザ光源毎にクロック信号の周波数を調整することが必要とされるプリンタに用いられる回路である。
【０００７】
また、図１のデータ伝送回路１００は、２ビーム方式のカラープリンタ、４ビーム方式のカラープリンタに対して共用可能である。
【０００８】
具体的に説明すると、図１のデータ伝送回路１００が２ビーム方式に用いられる場合、互いに同一色成分の２つのレーザ光源毎にクロック信号の周波数が調整されるようになっている。
【０００９】
さらに、図１のデータ伝送回路１００が４ビーム方式に用いられる場合も、互いに同一色成分の２つのレーザ光源毎にクロック信号の周波数が調整されるようになっている。つまり、４ビーム方式のプリンタであっても、互いに同一色成分の２つのレーザ光源毎にクロック信号の周波数の調整が必要な場合がある。例えば、互いに同一色成分の２つのレーザ光源で１つの光学系が共用されていると共に、同一色成分の２つのレーザ光源毎で異なる光学系が用いられている４ビーム方式のプリンタにあっては、光学系の違いに起因したドット形成位置のズレを補正するために、上記したような調整が必要となる。
【００１０】
つぎに、データ伝送回路１００の構成について説明する。図１に示すように、データ伝送回路１００は、レーザ光源１０１・１０２・１０３・１０４に対して画像データを伝送するようになっている。
【００１１】
このデータ伝送回路１００が２ビーム方式のカラープリンタに用いられる場合、レーザ光源１０１・１０２は黄色用レーザ光源となり、レーザ光源１０３・１０４は黒色用レーザ光源となる。なお、この場合、２つのマゼンタ用レーザ光源および２つのシアン用レーザ光源に対して画像データの供給を行うデータ転送回路は、図示が省略されているだけであり、実際には、カラープリンタ内に備えられている。
【００１２】
また、このデータ伝送回路１００が４ビーム方式のカラープリンタに用いられる場合、レーザ光源１０１・１０２・１０３・１０４は黒色用レーザ光源となる。なお、この場合、マゼンタ用レーザ光源に対して画像データを伝送するデータ伝送回路、シアン用レーザ光源に対して画像データを伝送するデータ伝送回路、黄色用レーザ光源に対して画像データを伝送するデータ伝送回路は、図示が省略されているだけであり、実際にはカラープリンタ内に備えられている。
【００１３】
データ伝送回路１００には、図１に示すように、ＦＩＦＯ１１１・１１２・１１３・１１４、ロジック回路１２１・１２２・１２３・１２４、ＰＬＬ１３０・１３１、が備えられている。また、データ伝送回路１００の外部には、クロック信号を発振する発振器１４０が備えられている。
【００１４】
そして、カラープリンタにおいて、図示しない画像処理部によって処理された画像データは、一旦データ伝送回路１００に入力され、データ伝送回路１００によって各レーザ光源１０１・１０２・１０３・１０４に伝送されるようになっている。
【００１５】
具体的に説明すると、データ伝送回路１００に入力された画像データのうち、レーザ光源１０１に供給されるべき画像データは、ＦＩＦＯ（First In First Out）１１１、ロジック回路１２１の順に伝送され、ロジック回路１２１によって画像処理が施された後、レーザ光源１０１に伝送されるようになっている。データ伝送回路１００に入力された画像データのうち、レーザ光源１０２に供給されるべき画像データは、ＦＩＦＯ１１２、ロジック回路１２２の順に伝送され、ロジック回路１２２によって画像処理が施された後、レーザ光源１０２に伝送されるようになっている。
【００１６】
また、データ伝送回路１００に入力された画像データのうち、レーザ光源１０３に供給されるべき画像データは、ＦＩＦＯ１１３、ロジック回路１２３の順に伝送され、ロジック回路１２３によって画像処理が施された後、レーザ光源１０３に伝送されるようになっている。データ伝送回路１００に入力された画像データのうち、レーザ光源１０４に供給されるべき画像データは、ＦＩＦＯ１１４、ロジック回路１２４の順に伝送され、ロジック回路１２４によって画像処理が施された後、レーザ光源１０４に伝送されるようになっている。
【００１７】
ここで、図１において、ＰＬＬ（Phase-Locked Loop）１３０・１３１の各々は、発振器１４０から出力されるクロック信号の周波数を調整するためのものである。
【００１８】
ここで、ＰＬＬ１３０は、周波数を調整したクロック信号を、ＦＩＦＯ１１１・１１２、ロジック回路１２１・１２２へ送信し、ＰＬＬ１３１は、周波数を調整したクロック信号を、ＦＩＦＯ１１３・１１４、ロジック回路１２３・１２４へ送信するようになっている。
【００１９】
そして、ＦＩＦＯ１１１・１１２は、ＰＬＬ１３０から送信されるクロック信号に示される周期で、ロジック回路１２１・１２２に対する画像データの伝送を実行する。また、ロジック回路１２１・１２２は、ＰＬＬ１３０から送信されるクロック信号に示される周期で、画像データに対する画像処理を実行し、各レーザ光源１０１・１０２に対する画像データの伝送を実行するようになっている。
【００２０】
また、ＦＩＦＯ１１３・１１４は、ＰＬＬ１３１から送信されるクロック信号に示される周期で、各ロジック回路１２３・１２４に対する画像データの伝送を実行する。また、ロジック回路１２３・１２４は、ＰＬＬ１３１から送信されるクロック信号に示される周期で、画像データに対する画像処理を実行し、各レーザ光源１０３・１０４に対する画像データの伝送を実行するようになっている。
【００２１】
つまり、以上のデータ伝送回路１００によれば、ＰＬＬ１３０によって調整されるクロック信号の周波数は、レーザ光源１０１・１０２の前段における各回路の動作周期を示したものとなり、ＰＬＬ１３１によって調整されるクロック信号の周波数は、レーザ光源１０３・１０４の前段における各回路の動作周期を示したものとなる。それゆえ、ＰＬＬ１３０における周波数とＰＬＬ１３１における周波数とを各々別個で調整すれば、レーザ光源に対する画像データの伝送周期を２つのレーザ光源毎で調整することが可能になる。
【特許文献１】特開２０００−２２１７５８号公報（公開日：２０００年８月１１日）
【特許文献２】特開平１０−６２７００号公報（公開日：１９９８年３月６日）
【発明の開示】
【発明が解決しようとする課題】
【００２２】
しかし、図１に示したデータ伝送回路１００によれば、２つのレーザ光源毎に、レーザ光源に対する画像データの伝送周期を異ならせることができるものの、レーザ光源の前段における回路部分の動作周期が非同期になる。
【００２３】
具体的に、ロジック回路１２１とロジック回路１２２とは動作周期が同期し、ロジック回路１２３とロジック回路１２４とは動作周期が同期しているものの、ロジック回路１２１・１２２とロジック回路１２３・１２４とでは動作周期が非同期になる。
【００２４】
したがって、データ伝送回路１００において、画像データの伝送周期や処理周期を各ロジック回路１２１〜１２４で同期させる必要のあるような画像処理を行う場合、入力待ち時間や処理待ち時間が発生し、データ伝送回路１００においてデータ伝送が遅延してしまう。
【００２５】
本発明は、露光部に対する画像データの伝送周期を示すクロックの周波数を１以上の露光部毎で調整するデータ伝送装置において、データ伝送の遅延を抑制できるデータ伝送回路を提供することを目的とする。
【課題を解決するための手段】
【００２６】
以上の目的を達成するために、本発明は、共通の像担持体を露光する複数の露光部を含む画像形成装置に備えられており、上記複数の露光部に対して画像データを伝送するデータ伝送装置において、画像データを処理する処理回路と、処理回路にて処理された画像データをメモリに書き込む書込手段と、メモリに書き込まれた画像データを読み出して露光部に伝送する伝送手段とを露光部毎に備えており、上記伝送手段における伝送の周期を示した伝送クロックの周波数を１以上の伝送手段毎に調整可能に構成されており、上記処理回路の動作の周期を示した動作クロックの周波数が上記共通の像担持体を露光する複数の露光部に伝送する画像データを処理する各処理回路において共通に設定されていることを特徴とする。
【００２７】
上記構成によれば、１以上の伝送手段毎に上記伝送クロックの周波数が調整されることによって、露光部に対する画像データの伝送周期が１以上の露光部毎で非同期になったとしても、上記動作クロックの周波数は共通の像担持体を露光する複数の露光部に伝送する画像データを処理する各処理回路において共通であることから、これらの各処理回路において動作周期を同期させることができる。それゆえ、画像データの伝送周期や処理周期を上記各処理回路で同期させなければ入力待ち時間や処理待ち時間が発生するような画像処理を行う場合であっても、このような入力待ち時間や処理待ち時間が発生することはなく、データ伝送の遅延を抑制できる。
【００２８】
また、上記伝送クロックの周波数は、上記動作クロックの周波数以下の範囲で調整可能であることが好ましい。
【００２９】
これにより、メモリにおいて画像データの読み出し速度が書き込み速度よりも速くなることはない。それゆえ、メモリに対する画像データの書き込みを、読み出しよりも僅かに早く開始させるだけで、メモリにおいてデータの読み出しがデータの書き込みを追い越してしまうという不具合は生じず、開発工数を低減することができる。
【００３０】
また、本発明のデータ伝送装置においては、発振器から発振されるクロックを上記動作クロックとし、上記発振器から発振されるクロックの周波数を調整し、この調整が行われたクロックを上記伝送クロックとする周波数調整手段が１以上の伝送手段毎に設けられていることが好ましい。
【００３１】
上記構成によれば、動作クロックおよび伝送クロックの発振元を共通の発振器とすることができ、必要な発振器数を低減することができ、製造コストの低減に資することができる。
【００３２】
さらに、本発明のデータ伝送装置においては、発振器から発振されるクロックの周波数を調整し、この調整が行われたクロックを上記動作クロックとして出力する周波数調整手段が設けられていることが好ましい。
【００３３】
上記構成によれば、上記処理回路の動作の周期を示した動作クロックの周波数を調整することができ、厚紙モードに対応することが可能になる。
【００３４】
また、本発明のデータ処理装置においては、発振器から発振されるクロックの周波数を調整し、この調整が行われたクロックを上記伝送クロックとして出力する周波数調整手段が１以上の伝送手段毎に設けられ、各周波数調整手段から出力される伝送クロックのうち、周波数が高い方の伝送クロックを選択し、選択した伝送クロックを上記動作クロックとして出力する選択手段が備えられていることが好ましい。
【００３５】
上記構成によれば、各周波数調整手段から出力される伝送クロックのうち、周波数が高い方の伝送クロックを動作クロックとしているため、伝送クロックのみを発振するような発振器を設ける必要がなく、必要な発振器数を低減することができ、製造コストの低減に資することができる。
【００３６】
さらに、本発明のデータ伝送装置においては、各周波数調整手段から出力される伝送クロックのうち、周波数が最も高い伝送クロックを判定する判定手段を有し、上記選択手段は、上記判定手段の判定結果に応じて上記選択を行うことが好ましい。
【００３７】
上記構成によれば、周波数が最も高い伝送クロックの識別を判定手段に行わせることになり、上記選択手段に対する負荷を低減することが可能になる。
【００３８】
また、本発明のデータ伝送装置においては、鏡像反転処理用のＲＡＭを上記メモリとして用いてもよい。
【００３９】
鏡像反転処理用のＲＡＭが備えられている場合、このＲＡＭを上記メモリとして用いてもよく、この場合、データ伝送装置におけるメモリ数を低減させることが可能になる。
【００４０】
また、以上示したデータ伝送装置は集積回路にて構成されてもよいし、以上示したデータ伝送装置は画像形成装置に備えられてもよい。
【発明の効果】
【００４１】
以上のように、本発明のデータ伝送装置は、画像データを処理する処理回路と、処理回路にて処理された画像データをメモリに書き込む書き込み手段と、メモリに書き込まれた画像データを読み出して露光部に伝送する伝送手段とを露光部毎に備えており、上記伝送手段における伝送の周期を示した伝送クロックの周波数を１以上の伝送手段毎に調整可能に設定されており、上記処理回路の動作の周期を示した動作クロックの周波数が共通の像担持体を露光する複数の露光部に伝送する画像データを処理する各処理回路において共通に設定されている構成である。
【００４２】
それゆえ、画像データの伝送周期や処理周期を上記各処理回路で同期させなければ入力待ち時間や処理待ち時間が発生するような画像処理を行う場合であっても、このような入力待ち時間や処理待ち時間が発生することはなく、データ伝送の遅延を抑制できる。
【発明を実施するための最良の形態】
【００４３】
本発明のデータ伝送装置の一実施形態について図に基づいて以下説明する。図２は、本実施形態のデータ伝送装置の回路構成を示したブロック図である。なお、本実施形態のデータ伝送装置１は、図示しないものの、シアン用感光体ドラム、マゼンタ用感光体ドラム、黄色用感光体ドラム、黒色用感光体ドラムを含むカラープリンタ（画像形成装置）に実装されるものである。また、本実施形態のデータ伝送装置１は、いわゆる２ビーム方式のカラープリンタ、４ビーム方式のカラープリンタのいずれに対しても適用可能な回路である。
【００４４】
また、データ伝送装置１は、以上のようなプリンタのうち、特に、２つのレーザ光源毎に、レーザ光源（露光部）に対する画像データの伝送周期を調整することが必要とされるプリンタに用いられる。
【００４５】
データ伝送装置１は、制御用集積回路基板によって構成されるものであり、図示しない外部の画像処理回路から画像データを入力し、レーザ光源１０ａ・１０ｂ・１０ｃ・１０ｄに対して当該画像データを伝送するものである。
【００４６】
このデータ伝送装置１が２ビーム方式のカラープリンタに適用される場合、レーザ光源１０ａ・１０ｂは、黄色用感光体ドラムを露光するための黄色用レーザ光源であるものとし、レーザ光源１０ｃ・１０ｄは、黒色用感光体ドラムを露光するための黒色用レーザ光源であるものとする。なお、この場合、他色（マゼンタ、シアン）のレーザ光源、および該レーザ光源に対して画像データの供給を行うデータ転送回路は、図示が省略されているだけであり、実際には、カラープリンタ内に備えられているものとする。
【００４７】
また、このデータ伝送装置１が４ビーム方式のカラープリンタに適用される場合、いずれのレーザ光源１０ａ・１０ｂ・１０ｃ・１０ｄも黒色用レーザ光源であるものとする。なお、この場合も、他色（マゼンタ、シアン、黄）のレーザ光源、および該レーザ光源に対して画像データを伝送するデータ伝送回路は、図示が省略されているだけであり、実際にはカラープリンタ内に備えられているものとする。
【００４８】
つぎに、データ伝送装置１の構成の詳細について説明する。データ伝送装置１には、図１に示すように、ＦＩＦＯ２０ａ・２０ｂ・２０ｃ・２０ｄ、ロジック回路３０ａ・３０ｂ・３０ｃ・３０ｄ、メモリ４０ａ・４０ｂ・４０ｃ・４０ｄが備えられている。
【００４９】
なお、以下では、単にＦＩＦＯ２０と称す場合はＦＩＦＯ２０ａ・２０ｂ・２０ｃ・２０ｄを指すものとし、レーザ光源１０、ロジック回路３０、メモリ４０についても同様とする。
【００５０】
また、本実施形態では、ＦＩＦＯ２０ａ、ロジック回路３０ａ、メモリ４０ａ、レーザ光源１０ａを順に経由する伝送経路を第１伝送経路と称し、ＦＩＦＯ２０ｂ、ロジック回路３０ｂ、メモリ４０ｂ、レーザ光源１０ｂを順に経由する伝送経路を第２伝送経路と称し、ＦＩＦＯ２０ｃ、ロジック回路３０ｃ、メモリ４０ｃ、レーザ光源１０ｃを順に経由する伝送経路を第３伝送経路と称し、ＦＩＦＯ２０ｄ、ロジック回路３０ｄ、メモリ４０ｄ、レーザ光源１０ｄを順に経由する伝送経路を第４伝送経路と称す。
【００５１】
つまり、第１伝送経路においては、レーザ光源１０ａに供給される画像データが伝送され、第２伝送経路においては、レーザ光源１０ｂに供給される画像データが伝送され、第３伝送経路においては、レーザ光源１０ｃに供給される画像データが伝送され、第４伝送経路においては、レーザ光源１０ｄに供給される画像データが伝送されるようになっている。
【００５２】
つぎに、各伝送経路に含まれている各構成について詳細に説明する。
【００５３】
ＦＩＦＯ２０ａは、レーザ光源１０ａに供給されるべき画像データを外部から入力して、この画像データをロジック回路３０ａに伝送するものである。ＦＩＦＯ２０ｂは、レーザ光源１０ｂに供給されるべき画像データを外部から入力して、この画像データをロジック回路３０ｂに伝送するものである。ＦＩＦＯ２０ｃは、レーザ光源１０ｃに供給されるべき画像データを外部から入力して、この画像データをロジック回路３０ｃに伝送するものである。ＦＩＦＯ２０ｄは、レーザ光源１０ｄに供給されるべき画像データを外部から入力して、この画像データをロジック回路３０ｄに伝送するものである。
【００５４】
ロジック回路３０は、伝送されてきた画像データに対して画像処理を施し、画像処理の施した画像データをメモリ４０に伝送する回路である。ここで、上記画像処理としては、例えば、ガンマ補正、濃度補正、マーク付加処理（ウォータマーク等の付加処理）が挙げられる。
【００５５】
なお、ロジック回路３０はいずれも同様の機能を有するものであるが、ロジック回路３０ａはメモリ４０ａに画像データを伝送し、ロジック回路３０ｂはメモリ４０ｂに画像データを伝送し、ロジック回路３０ｃはメモリ４０ｃに画像データを伝送し、ロジック回路３０ｄはメモリ４０ｄに画像データを伝送するようになっている。
【００５６】
また、ロジック回路３０においては、図示しない水平同期信号（ＢＤ信号）が入力され、メモリ４０に対する画像データの伝送開始タイミングを上記水平同期信号に示されるタイミングに同期させる処理が行われる。
【００５７】
また、メモリ４０の各々には、書込手段（書き込み用コントローラ）および読出手段（読み出し用コントローラ）が備えられている。そして、メモリ４０に伝送されてきた画像データは、書込手段によってメモリ４０に書き込まれる。そして、メモリ４０に書き込まれた画像データは、読出手段によって読み出され、この読出手段によってレーザ光源１０に伝送される。
【００５８】
具体的に、メモリ４０ａにおいては、書込手段４１ａおよび読出手段４２ａが設けられており、書込手段４１ａによってロジック回路３０ａからの画像データが書き込まれ、書き込まれた画像データは読出手段４２ａによって読み出されてレーザ光源１０ａに伝送されるようになっている。また、メモリ４０ｂにおいては、書込手段４１ｂおよび読出手段４２ｂが設けられており、書込手段４１ｂによってロジック回路３０ｂからの画像データが書き込まれ、書き込まれた画像データは読出手段４２ｂによって読み出されてレーザ光源１０ｂに伝送されるようになっている。
【００５９】
さらに、メモリ４０ｃにおいては、書込手段４１ｃおよび読出手段４２ｃが設けられており、書込手段４１ｃによってロジック回路３０ｃからの画像データが書き込まれ、書き込まれた画像データは読出手段４２ｃによって読み出されてレーザ光源１０ｃに伝送されるようになっている。また、メモリ４０ｄにおいては、書込手段４１ｄおよび読出手段４２ｄが設けられており、書込手段４１ｄによってロジック回路３０ｄからの画像データが書き込まれ、書き込まれた画像データは読出手段４２ｄに読み出されてレーザ光源１０ｄに伝送されるようになっている。
【００６０】
なお、以下では、単に書込手段４１と称す場合は、書込手段４１ａ・４１ｂ・４１ｃ・４１ｄを指すものとし、読出手段４２についても同様とする。
【００６１】
以上のような回路構成によって、外部から第１伝送経路に入力される画像データはレーザ光源１０ａに供給され、第２伝送経路に入力される画像データはレーザ光源１０ｂに供給され、第３伝送経路に入力される画像データはレーザ光源１０ｃに供給され、第４伝送経路に入力される画像データはレーザ光源１０ｄに供給されるようになっている。
【００６２】
また、図１に示すように、データ伝送装置１の外部には発振器６１・６２が備えられており、データ伝送装置１の内部にはＰＬＬ５１・５２が備えられている。
【００６３】
発振器６１は、周波数Ｘ[ＭＨｚ]のクロックを発振し、このクロックをＰＬＬ５１・５２に入力するようになっている。
【００６４】
ＰＬＬ５１・５２の各々は、発振器６１から入力したクロックの周波数を調整して出力する。そして、ＰＬＬ５１から出力されるクロックは読出手段４２ａ・４２ｂに送信され、ＰＬＬ５２から出力されるクロックは読出手段４２ｃ・４２ｄに送信されるようになっている。なお、本実施形態では、ＰＬＬ５１・５２の各々が出力するクロックの周波数は、０．９７Ｘ〜１．０３Ｘ[ＭＨｚ]の範囲で調整される。なお、ＰＬＬ５１・５２は図示しないＣＰＵ（Central Processing Unit）によって調整される。
【００６５】
そして、読出手段４２ａ・４２ｂは、ＰＬＬ５１から送信されてくるクロックに示される周期で画像データの読み出しおよび伝送を行うようになっている。また、読出手段４２ｃ・４２ｄは、ＰＬＬ５２から送信されてくるクロックに示される周期で画像データの読み出しおよび伝送を行うようになっている。
【００６６】
つまり、各レーザ光源１０ａ・１０ｂに対する画像データの伝送周期を示したクロックの周波数はＰＬＬ５１によって調整され、各レーザ光源１０ｃ・１０ｄに対する画像データの伝送周期を示したクロックの周波数はＰＬＬ５２によって調整される。
【００６７】
したがって、レーザ光源１０ａ・１０ｂに対する画像データの伝送周期は共通であり、レーザ光源１０ｃ・１０ｄに対する画像データの伝送周期は共通であるが、レーザ光源１０ａ・１０ｂに対する画像データの伝送周期とレーザ光源１０ｃ・１０ｄに対する画像データの伝送周期とを異ならせることが可能になる。本実施の形態のデータ伝送装置１では、このようにして、２つのレーザ光源毎に、レーザ光源に対する画像データの伝送周期を調整している。
【００６８】
発振器６２は、周波数１．０３Ｘ[ＭＨｚ]以上のクロックを発振する。また、発振器６２は、発振したクロックを、図２に示した全てのＦＩＦＯ２０、図２に示した全てのロジック回路３０、図２に示した全ての書込手段４１に送信するようになっている。すなわち、発振器６２は、発振したクロックを、少なくとも共通の感光体ドラムを露光するレーザ光源に伝送する画像データ（同一色成分の画像データ）を処理（入出力）する全てのＦＩＦＯ２０、ロジック回路３０、書込手段４１に送信する。
【００６９】
そして、図２に示した全てのＦＩＦＯ２０は、発振器６２から送られてくるクロックに示される周期で画像データの伝送を行うようになっている。また、図２に示した全てのロジック回路３０は、発振器６２から送られてくるクロックに示される周期で画像処理および画像データの伝送を行うようになっている。さらに、図２に示した全ての書込手段４１は、発振器６２から送られてくるクロックに示される周期でメモリ４０に対する画像データの書き込みを行うようになっている。
【００７０】
つまり、いずれの伝送経路においても、読出手段４２より前段の各回路、つまり、ＦＩＦＯ２０、ロジック回路３０、書込手段４１は、いずれも動作の周期が同期していることになる。
【００７１】
以上示した構成によれば、画像データを処理するロジック回路３０と、ロジック回路３０にて処理された画像データをメモリ４０に書き込む書込手段４１と、メモリ４０に書き込まれた画像データを読み出してレーザ光源１０に伝送する読出手段４２とがレーザ光源毎に備えられている。そして、読出手段４２による画像データの伝送の周期を示すクロック（伝送クロック，図２の一点鎖線）の周波数は、２つの読出手段毎に調整可能に構成されており、ロジック回路３０の動作の周期を示すクロック（動作クロック，図２の破線）の周波数は、図２に示した全てのロジック回路３０において共通に設定されていることになる。
【００７２】
このような構成によれば、読出手段４２による画像データの伝送の周期を示すクロック（伝送クロック）の周波数が２つの読出手段毎に調整されることによって、レーザ光源１０への画像データの伝送周期が２つのレーザ光源毎で非同期になったとしても、ロジック回路３０の動作の周期を示すクロック（動作クロック）の周波数は図２に示した全てのロジック回路３０において共通であることから、図２に示した全てのロジック回路３０において動作周期を同期させることができる。それゆえ、画像データの伝送周期や処理周期を共通の感光体ドラムを露光するレーザ光源に伝送する画像データを処理する全てのロジック回路３０で同期させなければ入力待ち時間や処理待ち時間が発生するような画像処理を行う場合であっても、このような入力待ち時間や処理待ち時間が発生することはなく、データ伝送の遅延を抑制できる。
【００７３】
つぎに、画像データの伝送周期や処理周期を共通の感光体ドラムを露光するレーザ光源に伝送する画像データを処理する全てのロジック回路３０で同期させなければデータ伝送の遅延がもたらされる画像処理について、以下示す実施例１〜実施例３において説明する。
【００７４】
（実施例１）
データ伝送装置１が４ビーム方式のプリンタに適用されている場合、レーザ光源１０ａ・１０ｂ・１０ｃ・１０ｄは、いずれも黒色用感光体ドラムを露光する光源となる。
【００７５】
そして、一回の走査において、レーザ光源１０ａ・１０ｂ・１０ｃ・１０ｄがビームを照射することによって、上記感光体ドラム上に４本のライン画像（潜像）が形成されることになる。つまり、１つのレーザ光源１０は一回の走査で一本のライン画像を形成するが、一回の走査において４つのレーザ光源１０が同時に動作することによって、４本のライン画像が形成されることになる。
【００７６】
このような構成において、黒色画像については他色画像よりも副走査方向にずらして形成する補正（以下、「副走査レジ補正」と称す）を行う場合、ロジック回路３０が利用され、画像データの伝送周期や処理周期を共通の感光体ドラムを露光するレーザ光源に伝送する画像データを処理する全てのロジック回路３０で同期させなければデータ伝送の遅延がもたらされる。
【００７７】
具体的に、副走査レジ補正を行う場合、ＦＩＦＯ２０ａから伝送される画像データをロジック回路３０ａに伝送せずに、ロジック回路３０ａ以外のロジック回路３０に伝送しなければならない。例えば、図３に示すように、黒色画像を副走査方向に２ライン分ずらして形成する副走査レジ補正を行う場合、ＦＩＦＯ２０ａから出力される画像データをロジック回路３０ａではなくロジック回路３０ｃに伝送する。つまり、ロジック回路３０ａに本来伝送されるべき画像データ（ＦＩＦＯ２０ａから伝送される画像データ）をロジック回路３０ｃに伝送することとなる。
【００７８】
したがって、ロジック回路３０ａとロジック回路３０ｃとが仮に非同期である場合、ＦＩＦＯ２０ａからロジック回路３０ｃへの画像データの入力に際して待ち時間が生じてしまい、データ伝送が遅延する。
【００７９】
この点、本実施形態のデータ伝送装置１によれば、共通の感光体ドラムを露光するレーザ光源に伝送する画像データを処理する全てのロジック回路３０および全てのＦＩＦＯ２０において動作周期は同期されている。したがって、例えば、ＦＩＦＯ２０ａからどのロジック回路３０ａ・３０ｂ・３０ｃ・３０ｄに画像データを伝送する場合であっても、非同期の場合における待ち時間がもたらされることがないため、遅延を生じさせることなくデータ伝送を行うことができる。
【００８０】
また、本実施形態の構成によれば、共通の感光体ドラムを露光するレーザ光源に伝送する画像データを処理する全てのＦＩＦＯ２０および全てのロジック回路３０において動作周期は同期されているため、例えば、ＦＩＦＯ２０ａからどのロジック回路３０ａ・３０ｂ・３０ｃ・３０ｄに対しても直接にデータ伝送を行うことができる。この点、図１の構成（従来構成）によれば、例えば、ＦＩＦＯ１１１からロジック回路１２３・１２４に画像データを伝送する場合、ＦＩＦＯ１１１の動作周期とロジック回路１２３・１２４の動作周期とは非同期であるため、ＦＩＦＯ１１１とロジック回路１２３との間やＦＩＦＯ１１１とロジック回路１２４との間に、動作周期の差異を吸収するための論理回路を設けなければならず、ゲート数が増大し、設計工数が増大するという問題が生じる。
【００８１】
（実施例２）
データ伝送装置１を備えるプリンタが、当該プリンタの解像度と異なる解像度でスキャンされた画像データを入力し、この画像データに基づいて印刷を行う場合、入力した画像データに対して単純補間処理（解像度の変換）を行わなければならない。
【００８２】
例えば、図４（ａ）に示すように、６００ＤＰＩの解像度でスキャンされた画像データがあるものとする。この画像データが１２００ＤＰＩの解像度のプリンタに入力された場合、画像データは図４（ｂ）のようになる。そして、例えば、図４（ｂ）の画像データに対して、６００ＤＰＩから１２００ＤＰＩに変換するための単純補間処理を行い、且つ、１ライン分だけ副走査レジ補正を行う場合、画像データは図４（ｃ）のようになる。
【００８３】
ここで、図４に示す単純補間処理および副走査レジ補正を、４ビーム方式のプリンタに備えられているデータ伝送装置１にて実行する場合について以下説明する。なお、単純補間処理はロジック回路３０にて実行されるものとする。
【００８４】
この単純補間処理および副走査レジ補正において、例えば、図４（ｂ）の１ライン目の画像データは、図４（ｃ）の２ライン目の画像データおよび３ライン目の画像データを単純補間で生成するために参照されることになる。
【００８５】
したがって、図２のデータ伝送装置１において図４の単純補間処理および副走査レジ補正を実行する場合、ＦＩＦＯ２０ａから出力される画像データをロジック回路３０ｂおよび３０ｃに伝送する必要がある。つまり、以上のような単純補間を行う場合、１つのＦＩＦＯ２０から出力される画像データを複数のロジック回路３０に伝送する必要が生じる。それゆえ、伝送先となる複数のロジック回路３０の各々が同期されていないと、当該伝送に際して待ち時間が生じ、データ伝送が遅延する。
【００８６】
ところで、本実施形態のデータ伝送装置１によれば、以上にて述べたように、共通の感光体ドラムを露光するレーザ光源に伝送する画像データを処理する全てのロジック回路３０において動作周期は同期されている。したがって、１つのＦＩＦＯ２０から出力される画像データを複数のロジック回路３０に伝送するような画像処理を行う場合、伝送先の各ロジック回路は同期しているため、非同期の場合における待ち時間がもたらされることがないため、遅延を生じさせることなくデータ伝送を行うことができる。
【００８７】
また、このようなデータ伝送装置１によれば、設計時において、非同期検証の手間を省くことができ、開発効率が上がるというメリットがあり、また、動作時においてバグが発生し難いというメリットもある。
【００８８】
（実施例３）
プリンタにおいては画像データに基づいて画像が印刷されるが、この画像データにおける各画素の濃度値を積算することによって上記画像を印刷する際のトナー消費量を推定演算することが可能である。
【００８９】
また、例えば、図６に示すように、画像データにおける４×４画素の小領域における濃度値を積算することにより、当該小領域を印刷する際のトナー消費量を推定演算することも可能である。以下では、本実施形態のデータ伝送装置１において、上記小領域を印刷する際のトナー消費量の推定演算を実行する形態について説明する。
【００９０】
４×４画素の小領域における濃度値を積算するためには、連続している４ライン分のライン画像のデータを濃度加算回路に入力しなければならない。そこで、図５に示すように、データ伝送装置１において、濃度加算回路７０を構成し、ロジック回路３０ａ・３０ｂ・３０ｃ・３０ｄから出力される画像データが濃度加算回路７０に入力されるようにする。そして、濃度加算回路７０は、入力された全ての画像データを参照することにより、４×４画素の小領域における濃度値を積算することができ、当該小領域を印刷する際のトナー消費量を推定演算することが可能になる。
【００９１】
ここで、仮に、ロジック回路３０ａ・３０ｂ・３０ｃ・３０ｄにおける画像データの伝送周期が非同期である場合、濃度加算回路７０への画像データの入力に際して待ち時間が生じ、データ伝送が遅延する。
【００９２】
これに対し、本実施形態のデータ伝送装置１によれば、以上にて述べたように、共通の感光体ドラムを露光するレーザ光源に伝送する画像データを処理する全てのロジック回路３０において動作周期は同期されている。したがって、各ロジック回路３０から濃度加算回路７０への画像データの伝送周期は同期しており、非同期の場合における待ち時間がもたらされることがないため、遅延を生じさせることなく各ロジック回路３０から濃度加算回路７０へのデータ伝送を実現することができる。
【００９３】
（変形例１）
つぎに、本実施形態のデータ伝送装置の変形例について説明する。図８は、本実施形態におけるデータ伝送装置の変形例を示したブロック図である。
【００９４】
図２に示したデータ伝送装置１においては、発振器６１が発振するクロック信号と発振器６２が発振するクロック信号とが入力されるようになっているが、図８に示すデータ伝送装置１ａによれば、発振器６３が発振するクロック信号のみが入力されるようになっている。
【００９５】
そして、図８に示すデータ伝送装置１ａによれば、発振器６３が発振するクロック信号（周波数Ｘ[ＭＨｚ]）は、ＰＬＬ５１・５２の各々へ入力するようになっている。ＰＬＬ５１・５２の各々は、発振器６３から入力したクロックの周波数を調整して出力する。そして、ＰＬＬ５１から出力されるクロックは読出手段４２ａ・４２ｂに送信され、ＰＬＬ５２から出力されるクロックは読出手段４２ｃ・４２ｄに送信されるようになっている。なお、データ伝送装置１ａでは、ＰＬＬ５１・５２の各々が出力するクロック信号の周波数は、０．９４Ｘ〜１．００Ｘ[ＭＨｚ]の範囲で調整される。これにより、２つのレーザ光源毎に、レーザ光源に対する画像データの伝送周期を調整することができる。
【００９６】
また、発振器６３が発振するクロック信号（周波数Ｘ[ＭＨｚ]）は、共通の感光体ドラムを露光するレーザ光源に伝送する画像データを処理する全てのＦＩＦＯ２０、全てのロジック回路３０、全ての書込手段４１に直接入力されるようになっている。これにより、全伝送経路において、読出手段４２より前段の各回路、つまり、ＦＩＦＯ２０、ロジック回路３０、書込手段４１の動作の周期を同期させることができる。
【００９７】
以上のデータ伝送装置１ａによれば、単一の発振器６３によって、共通の感光体ドラムを露光するレーザ光源に伝送する画像データを処理する全てのＦＩＦＯ２０、全てのロジック回路３０、全ての書込手段４１、ＰＬＬ５１・５２へクロックを与えているため、図２のデータ伝送装置１と比べて、設置される発振器の数を減少させることができ、製造コスト削減に資することが可能となる。
【００９８】
また、データ伝送装置１ａにおいては、メモリ４０としてデュアルポートＲＡＭ（Random Access Memory）が用いられている。デュアルポートＲＡＭによれば、画像データの書き込みと読み出しとを同時に（併行して）行うことができるため、メモリ４０に画像データを大量に展開させることがなく、メモリ４０の容量を抑えることができる。
【００９９】
また、データ伝送装置１ａによれば、メモリ４０における書込手段４１に入力するクロックの周波数はＸ[ＭＨｚ]であるところ、読出手段４２に入力するクロックの周波数はＸ[ＭＨｚ]〜０．９４Ｘ[ＭＨｚ]の範囲で調整される。
【０１００】
したがって、メモリ４０において読出手段４２の読み出し速度が書込手段４１の書き込み速度よりも速くなることはない。それゆえ、書込手段４１による１ライン分の画像データの書き込みを、読出手段４２による読み出しより１画素分早く開始させるだけで、データの読み出しがデータの書き込みを追い越してしまうという不具合は生じず、開発工数を低減することができる。
【０１０１】
なお、図７（ａ）に示すように、１ライン分の画像データについて、書込手段４１の書き込み速度は、読出手段４２の読み出し速度よりも最大で６％速くなる（ＰＬＬ５１・５２によって調整される周波数との関係上、書き込み速度を１とした場合、読み出し速度が０．９４になる）。
【０１０２】
したがって、図７（ａ）に示すように、書込手段４１による書き込みと読出手段４２による読み出しとを仮に同時に開始した場合、書き込み終了時において、１ライン分の画像データの６％の画像データがメモリ４０に展開されていることになる。それゆえ、書込手段４１による書き込みを読出手段４２による読み出しより１画素分早く開始するだけでなく、上述した６％の画像データを展開できるだけの容量のデュアルポートＲＡＭをメモリ４０として設計する必要がある。
【０１０３】
また、図８のデータ伝送装置１ａにおいて、書込手段４１の書き込み速度が読出手段４２の読み出し速度より遅くなるように設計してもよい（図８において、ＰＬＬ５１・５２によって調整される周波数を１．００Ｘよりも大きくする）。
【０１０４】
但し、この場合、図７（ｂ）に示すように、データの読み出しがデータの書き込みを追い越してしまうという不具合をもたらさない程度に、読出手段４２による読み出しよりも書込手段４１による書き込みを早く開始する必要がある。また、ＰＬＬ５１・５２によって調整される周波数が変えられると、書込手段４１の書き込み速度と読出手段の読み出し速度との速度比が変化するため、この調整の度に書込手段４１による書き込み開始タイミングも調整する制御を行う必要がある。さらに、メモリ４０として小容量のデュアルポートＲＡＭが用いられている場合、書込手段４１による書き込み開始タイミングをあまりにも早く設定すると、読出手段４２による読み出しが開始される前にメモリ４０の容量が足りなくなってしまい、読み出し前のデータが上書きされてしまうこともあるため、メモリ４０の残容量を監視して当該上書きを回避するための制御が必要になる。
【０１０５】
また、以上示したデータ伝送装置１ａにおいては、メモリ４０としてデュアルポートＲＡＭが用いられているが、このような構成に限定されるものではなく、メモリ４０としてシングルポートＲＡＭを用いてもよい。
【０１０６】
また、例えば、特開２００５−７４６３８の図２に示されるように、黒色用レーザ光源と黄色用レーザ光源とでは互いに主走査方向が逆向きになるようなプリンタが存在する。このように、異なる色成分同士で互いにレーザ光源の主走査方向を異ならせるようなプリンタにデータ伝送装置１ａを適用する場合、主走査方向に対して鏡像反転処理を行うためのシングルポートＲＡＭをデータ伝送装置１ａに構成する必要が生じる。そこで、この鏡像反転処理のためのシングルポートＲＡＭをメモリ４０として利用すれば、データ伝送装置１ａに構成されるＲＡＭの数を削減することができる。
【０１０７】
（変形例２）
つぎに、本実施形態に係るデータ伝送装置の第２の変形例について説明する。図９は、本実施形態におけるデータ伝送装置の他の変形例を示したブロック図である。
【０１０８】
図９に示すデータ伝送装置１ｂは、図８に示すデータ伝送装置１ａと比べ、ＰＬＬ５３が備えられている点で異なり、また、このＰＬＬ５３がＦＩＦＯ２０、ロジック回路３０、書込手段４１にクロックを送信している点において異なる。
【０１０９】
ＰＬＬ５３は発振器６３が発振するクロックを入力し、このクロックの周波数を調整し、周波数を調整したクロックをＦＩＦＯ２０、ロジック回路３０、書込手段４１に送信している。なお、ＰＬＬ５１・５２・５３の各々は図示しないＣＰＵによって制御される。
【０１１０】
このような構成によれば、ロジック回路３０における動作周期を調整することが可能になる。特に、ＰＬＬ５３の逓倍機能によって、ロジック回路３０に入力するクロックの周波数を低減させることが可能であり、厚紙モード等への対応も容易になる。
【０１１１】
（変形例３）
つぎに、本実施形態に係るデータ伝送装置の第３の変形例について説明する。図１０は、本実施形態におけるデータ伝送装置の第３の変形例を示したブロック図である。
【０１１２】
図１０に示すデータ伝送装置１ｃによれば、図８に示すデータ伝送装置１ａと比べ、セレクタ５５が備えられている点で異なり、また、このセレクタ５５がＦＩＦＯ２０、ロジック回路３０、書込手段４１に対してクロックを送信している点において異なる。
【０１１３】
セレクタ５５は、図示しないＣＰＵによって制御されており、ＰＬＬ５１が出力するクロックとＰＬＬ５２が出力するクロックとを入力して両クロックの周波数を比較し、周波数の大きな方のクロックをＦＩＦＯ２０、ロジック回路３０、書込手段４１へ送信する。このような構成によっても、図８の構成と同様、単一の発振器６３を備えるだけでよく、発振器の数を削減できるというメリットがある。
【０１１４】
なお、図１１のデータ伝送装置１ｄのように、以上にて説明したセレクタ５５の他、周波数比較器５６を備えてもよい。周波数比較器５６は、ＰＬＬ５１が出力するクロックの周波数とＰＬＬ５２が出力するクロックの周波数とを比較して、周波数の大きな方のクロックを選択する機能を有する回路である。
【０１１５】
そして、周波数比較器５６は、選択したクロックを識別する識別情報をセレクタ５５に送信する。セレクタ５５は、ＰＬＬ５１から送られてくるクロックと、ＰＬＬ５３から送られてくるクロックとのうち、上記識別情報に示されるクロックを選択し、選択したクロックをＦＩＦＯ２０、ロジック回路３０、書込手段４１へ送信する。これにより、セレクタ５５において、周波数の比較処理を省略でき、セレクタ５５を制御するＣＰＵの負荷を低減できる。
【０１１６】
つぎに、周波数比較器５６の構成例について説明する。図１２は、周波数比較器５６の内部構成を示したブロック図である。
【０１１７】
周波数比較器５６は、カウンタ９１・９２・９３、比較器９４を備えている。カウンタ９１はＣＮＴＥＮ信号を入力すると、カウンタ９２・９３にＣＮＴＥＮ信号を伝送する。そして、カウンタ９２は、ＣＮＴＥＮ信号が伝送されると、ＰＬＬ５１からのクロックの周波数のカウントを開始し、カウンタ９３は、ＣＮＴＥＮ信号が伝送されると、ＰＬＬ５２からのクロックの周波数のカウントを開始する。
【０１１８】
また、カウンタ９１は、ＳＹＳＣＬＫ信号をカウントし、カウント数が所定値以上になったら、カウント終了をカウンタ９２・９３に伝達する。カウント終了の伝達を受けたカウンタ９２は、ＰＬＬ５１からのクロックの周波数のカウントを終了し、カウント終了の伝達を受けたカウンタ９３は、ＰＬＬ５２からのクロックの周波数のカウントを終了する。そして、比較器９４は、カウンタ９２のカウント数とカウンタ９３のカウント数とを比較する。さらに、比較器９４は、この比較結果に基づいて、ＰＬＬ５１からのクロックの周波数とＰＬＬ５２からのクロックの周波数とのいずれが高いかを判定し、周波数の高い方のクロックを識別するための識別情報をセレクタ５５に伝送する。
【０１１９】
以上の実施形態によれば、読出手段におけるデータ伝送の周期を示したクロック（読出手段に入力するクロック）の周波数を２つの読出手段毎に調整可能に構成しているが、少なくとも１以上の読出手段毎に上記周波数が調整可能であればよく、本実施形態の構成に限定されるものではない。例えば、読出手段に入力するクロックの周波数を１つの読出手段毎に調整可能にする場合、各読出手段４２ａ・４２ｂ・４２ｃ・４２ｄの各々について、個別に対応するＰＬＬを構成する必要がある（つまり、ＰＬＬを４つ構成する）。
【０１２０】
また、本実施形態のデータ伝送装置１は、２ビーム方式のカラープリンタ、４ビーム方式のカラープリンタのいずれに対しても適用可能であるが、マルチビーム方式とシングルビーム方式とを切り換え可能なプリンタ（例えば、特開２００３−１１４５６３に開示されている図３のプリンタ）に対しても適用可能である。
【０１２１】
本発明は上述した各実施形態に限定されるものではなく、請求項に示した範囲で種々の変更が可能であり、上述した実施形態において開示された各技術的手段を適宜組み合わせて得られる実施形態についても本発明の技術的範囲に含まれる。
【産業上の利用可能性】
【０１２２】
本発明のデータ伝送装置は、感光材（感光体ドラム、写真印画紙等）を露光するための光源を複数有する画像形成装置に好適に用いられる。
【図面の簡単な説明】
【０１２３】
【図１】従来のデータ伝送装置の回路構成を示したブロック図である。
【図２】本発明の一実施形態に係るデータ伝送装置の回路構成を示したブロック図である。
【図３】副走査レジ補正を説明するための図である。
【図４】単純補間処理を説明するための図である。
【図５】トナー消費量を算出するための濃度加算回路を構成したデータ伝送装置の一例を示したブロック図である。
【図６】画像データにおける４×４画素の小領域を示した模式図である。
【図７】１ライン分の画像データについてメモリに対する書き込み速度と読み出し速度と説明するための図であり、（ａ）は書き込み速度の方が読み出し速度よりも速い場合を示した図であり、（ｂ）は読み出し速度の方が書き込み速度よりも速い場合を示した図である。
【図８】本発明の一実施形態に係るデータ伝送装置の第１の変形例を示したブロック図である。
【図９】本発明の一実施形態に係るデータ伝送装置の第２の変形例を示したブロック図である。
【図１０】本発明の一実施形態に係るデータ伝送装置の第３の変形例を示したブロック図である。
【図１１】本発明の一実施形態に係るデータ伝送装置の第４の変形例を示したブロック図である。
【図１２】図１１に示したデータ伝送装置に構成されている周波数比較器の内部構成を示したブロック図である。
【符号の説明】
【０１２４】
１      データ伝送装置
１０    レーザ光源（露光部）
２０    ＦＩＦＯ
３０    ロジック回路（処理回路）
４０    メモリ
４１    書込手段
４２    読出手段
５１    ＰＬＬ（周波数調整手段）
５２    ＰＬＬ（周波数調整手段）
５３    ＰＬＬ（周波数調整手段）
５５    セレクタ（選択手段）
５６    周波数比較器（判定手段）
６１    発振器
６２    発振器
６３    発振器
【図１】
2007261095.tif 000003
【図２】
2007261095.tif 000004
【図３】
2007261095.tif 000005
【図４】
2007261095.tif 000006
【図５】
2007261095.tif 000007
【図６】
2007261095.tif 000008
【図７】
2007261095.tif 000009
【図８】
2007261095.tif 000010
【図９】
2007261095.tif 000011
【図１０】
2007261095.tif 000012
【図１１】
2007261095.tif 000013
【図１２】
2007261095.tif 000014